【手続補正書】
【提出日】平成17年9月29日(2005.9.29)
【手続補正１】
【補正対象書類名】明細書
【補正対象項目名】発明の名称
【補正方法】変更
【補正の内容】
【発明の名称】データ表示装置、データ表示方法及び記憶媒体
【手続補正２】
【補正対象書類名】明細書
【補正対象項目名】特許請求の範囲
【補正方法】変更
【補正の内容】
【特許請求の範囲】
【請求項１】  データを表示するデータ表示手段と、
前記データ表示手段により表示されたデータに対する編集処理の実行の可否を示す制限情報を取得する取得手段と、
前記表示されたデータに対して編集処理の実行を指示するためのボタンを表示するボタン表示手段と、
前記取得手段により取得された制限情報に基づくスタイルで前記ボタンを表示するよう制御するボタン表示制御手段とを備えたことを特徴とするデータ表示装置。
【請求項２】  前記ボタン表示制御手段は、前記制限情報に基づく色のスタイルで前記ボタンを表示するよう制御することを特徴とする請求項１に記載のデータ表示装置。
【請求項３】  前記ボタン表示制御手段は、前記制限情報に基づき選択不可能の状態で前記ボタンを表示するよう制御することを特徴とする請求項１に記載のデータ表示装置。
【請求項４】  前記制限情報は、前記表示されたデータに付与されていることを特徴とする請求項１に記載のデータ表示装置。
【請求項５】  前記取得手段は、前記表示されたデータのサイズに応じた制限情報を取得することを特徴とする請求項１に記載のデータ表示装置。
【請求項６】  前記制限情報は、編集自由、一部編集可又は編集禁止のうちいずれかを示すことを特徴とする請求項１に記載のデータ表示装置。
【請求項７】  前記編集処理は、前記表示されたデータに対する色変換、イメージフィルタ、透明度設定、反転、重なりの上下、任意角度の回転、マスク及び他データへの挿入のうち少なくとも１つを含むことを特徴とする請求項１に記載のデータ表示装置。
【請求項８】  前記表示されたデータに対して編集処理を実行する編集手段をさらに備えたことを特徴とする請求項１に記載のデータ表示装置。
【請求項９】  データを表示するデータ表示ステップと、
前記データ表示ステップにより表示されたデータに対する編集処理の実行の可否を示す制限情報を取得する取得ステップと、
前記表示されたデータに対して編集処理の実行を指示するためのボタンを表示する際に、前記取得ステップにより取得された制限情報に基づくスタイルで前記ボタンを表示するよう制御するボタン表示制御ステップとを備えたことを特徴とするデータ表示方法。
【請求項１０】  前記ボタン表示制御ステップは、前記制限情報に基づく色のスタイルで前記ボタンを表示するよう制御することを特徴とする請求項９に記載のデータ表示方法。
【請求項１１】  前記ボタン表示制御ステップは、前記制限情報に基づき選択不可能の状態で前記ボタンを表示するよう制御することを特徴とする請求項９に記載のデータ表示方法。
【請求項１２】  前記制限情報は、前記表示されたデータに付与されていることを特徴とする請求項９に記載のデータ表示方法。
【請求項１３】  前記取得ステップは、前記表示されたデータのサイズに応じた制限情報を取得することを特徴とする請求項９に記載のデータ表示方法。
【請求項１４】  前記制限情報は、編集自由、一部編集可又は編集禁止のうちいずれかを示すことを特徴とする請求項９に記載のデータ表示方法。
【請求項１５】  前記編集処理は、前記表示されたデータに対する色変換、イメージフィルタ、透明度設定、反転、重なりの上下、任意角度の回転、マスク及び他データへの挿入のうち少なくとも１つを含むことを特徴とする請求項９に記載のデータ表示方法。
【請求項１６】  前記表示されたデータに対して編集処理を実行する編集ステップをさらに備えたことを特徴とする請求項９に記載のデータ表示方法。
【請求項１７】  データを表示するデータ表示ステップと、
前記データ表示ステップにより表示されたデータに対する編集処理の実行の可否を示す制限情報を取得する取得ステップと、
前記表示されたデータに対して編集処理の実行を指示するためのボタンを表示する際に、前記取得ステップにより取得された制限情報に基づくスタイルで前記ボタンを表示するよう制御するボタン表示制御ステップとをコンピュータに実行させるためのプログラムを記憶したコンピュータ読み取り可能な記憶媒体。
【請求項１８】  前記ボタン表示制御ステップは、前記制限情報に基づく色のスタイルで前記ボタンを表示するよう制御することを特徴とする請求項１７に記載の記憶媒体。
【請求項１９】  前記ボタン表示制御ステップは、前記制限情報に基づき選択不可能の状態で前記ボタンを表示するよう制御することを特徴とする請求項１７に記載の記憶媒体。
【請求項２０】  前記制限情報は、前記表示されたデータに付与されていることを特徴とする請求項１７に記載の記憶媒体。
【請求項２１】  前記取得ステップは、前記表示されたデータのサイズに応じた制限情報を取得することを特徴とする請求項１７に記載の記憶媒体。
【請求項２２】  前記制限情報は、編集自由、一部編集可又は編集禁止のうちいずれかを示すことを特徴とする請求項１７に記載の記憶媒体。
【請求項２３】  前記編集処理は、前記表示されたデータに対する色変換、イメージフィルタ、透明度設定、反転、重なりの上下、任意角度の回転、マスク及び他データへの挿入のうち少なくとも１つを含むことを特徴とする請求項１７に記載の記憶媒体。
【請求項２４】  前記表示されたデータに対して編集処理を実行する編集ステップをさらにコンピュータに実行させるためのプログラムを記憶した請求項１７に記載の記憶媒体。
【手続補正３】
【補正対象書類名】明細書
【補正対象項目名】０００１
【補正方法】変更
【補正の内容】
【０００１】
【発明の属する技術分野】
本発明は、データ（画像データ、音声データなど）を表示するデータ表示装置、データ表示方法及び記憶媒体に関するものである。
【手続補正４】
【補正対象書類名】明細書
【補正対象項目名】００１３
【補正方法】変更
【補正の内容】
【００１３】
【課題を解決するための手段】
本発明のデータ表示装置は、データを表示するデータ表示手段と、前記データ表示手段により表示されたデータに対する編集処理の実行の可否を示す制限情報を取得する取得手段と、前記表示されたデータに対して編集処理の実行を指示するためのボタンを表示するボタン表示手段と、前記取得手段により取得された制限情報に基づくスタイルで前記ボタンを表示するよう制御するボタン表示制御手段とを備えたことを特徴とする。
【手続補正５】
【補正対象書類名】明細書
【補正対象項目名】００１４
【補正方法】変更
【補正の内容】
【００１４】
また、本発明のデータ表示方法は、データを表示するデータ表示ステップと、前記データ表示ステップにより表示されたデータに対する編集処理の実行の可否を示す制限情報を取得する取得ステップと、前記表示されたデータに対して編集処理の実行を指示するためのボタンを表示する際に、前記取得ステップにより取得された制限情報に基づくスタイルで前記ボタンを表示するよう制御するボタン表示制御ステップとを備えたことを特徴とする。
【手続補正６】
【補正対象書類名】明細書
【補正対象項目名】００１５
【補正方法】変更
【補正の内容】
【００１５】
また、本発明の記憶媒体は、データを表示するデータ表示ステップと、前記データ表示ステップにより表示されたデータに対する編集処理の実行の可否を示す制限情報を取得する取得ステップと、前記表示されたデータに対して編集処理の実行を指示するためのボタンを表示する際に、前記取得ステップにより取得された制限情報に基づくスタイルで前記ボタンを表示するよう制御するボタン表示制御ステップとをコンピュータに実行させるためのプログラムを記憶したコンピュータ読み取り可能な記憶媒体である。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】